(57)【要約】【課題】  粘着テープの端を指一本の操作で簡単に折り返すことができ、シンプルで動力の必要も無い、普通のテープカッターとしても違和感無く使用できるテープカッターを開発することである。【解決手段】  架台（１）にリール（３）を設け反対側に、支点軸（４）を支点としたコマ（５）を設け、コマ（５）の上部に、支点軸（６）と支点軸（６）を中心に回転するをコマ（７）を設け、コマ（７）の上部に刃（８）と支え（９）を設け、リール（３）とコマ（５）の中間に、支点軸（１０）を設け、支点軸（１０）に吊り下げる形でコマ（１１）を設け、コマ（１１）の一端に支え（１３）を設け、架台（１）の上部に支え（１６）と支え（１７）を設け、支え（１３）は支え（１６）と支え（１７）の間に立ち上がり、支え（１３）の上部にコマ（１５）を設け、支点軸（１０）に板（１８）を設け、コマ（７）の下方に板（１８）をつなぐ形で取り付け、支え（１６）にはフイゴ（２０）とフイゴのノズル（２１）を設けたテープカッターを特徴とする。【選択図】図１
2012082070.tif 000002
【特許請求の範囲】
【請求項１】
架台（１）にリール（３）を設け反対側に、支点軸（４）を支点としたコマ（５）を設け、コマ（５）の上部に、支点軸（６）と支点軸（６）を中心に回転するをコマ（７）を設け、コマ（７）の上部に刃（８）と支え（９）を設け、リール（３）とコマ（５）の中間に、支点軸（１０）を設け、支点軸（１０）に吊り下げる形でコマ（１１）を設け、コマ（１１）の下端に支え（１３）を設け、支え（１３）の上部に支点軸（１４）で取り付けられたコマ（１５）を設ける。架台（１）に支え（１６）、支え（１７）を設け、支え（１６）と支え（１７）の間を支え（１３）が立ち上がり、支点軸（１０）に板（１８）を設け、コマ（７）の下方に板（１８）をでつなぐ形で取り付け、支え（１６）にフイゴ（２０）とフイゴのノズルを設けたテープカッター。
【発明の詳細な説明】
【技術分野】
【０００１】  この発明は、折り返し部分が、指一本で簡単にできるテープカッターに関するものである。
【背景技術】
【０００２】    粘着テープという道具は便利であり、広く使用されている。しかしながら、いざ粘着テープをはがすとなるとはがしにくく、粘着テープを貼るときに、はがしやすくするために一部を折り返して貼る人も多い。
【先行技術文献】
【０００３】
【非特許文献１】  特開２００２−１４５５１１
【発明の概要】
【発明が解決しようとする課題】
【０００４】  （イ）書店や、衣料品販売店など、ビニール系の袋で包装する店舗は多い。しかし、商品購入後、袋を開ける際に、袋を止めている粘着テープがはがしにくく、袋を破ってしまったり、ビニール袋が粘着テープと一緒に伸びたりして開けにくい。顧客サービスを重視する店などは、袋を粘着テープで止める際に、粘着テープを折り返してお客がはがしやすくしている店もある。しかしながら、全ての客にこれを行うには大変な手間である。
（ロ）これまで、粘着テープの一端を折り返すテープカッターは多く特許申請がなされているが、広く普及したものは無い。前記の特開２００２−１４５５１１  は、シンプルであるが常に粘着テープが折り返され、折り返さない普通のテープカッターに切り替えることができない。
そこで、本発明の解決しようとする課題は、粘着テープの端を指一本の操作で簡単に折り返すことができ、シンプルで製造コストが小さく、電力等の動力の必要も無く、普通のテープカッターとして使用するときも操作性が変わらないテープカッターを開発することである。
【課題を解決するための手段】
【０００５】  架台（１）の一端に支点軸（２）を設け、支点軸（２）を中心に回転する粘着テープ（２２）を支えるリール（３）を設ける。同じく架台（１）のリール（３）の反対側に支点軸（４）を設け、支点軸（４）を中心として半回転する一部が欠けた逆三角形状のコマ（５）を設ける。コマ（５）の上部には、支点軸（６）を設け、支点軸（６）を中心に半回転するコマ（７）を設ける。コマ（７）の上部には粘着テープ（２２）を切断するための刃（８）と切断後の粘着テープ（２２）を保持する支え（９）を設ける。架台（１）に設けられているリール（３）とコマ（５）の中間に支点軸（１０）を設ける。支点軸（１０）に、吊り下げる形で扇形のコマ（１１）を設ける。コマ（１１）の一端には支点軸（１２）を設け、支点軸（１２）にはアールのついた細長い板状の支え（１３）を設ける。支え（１３）の上部には支点軸（１４）を設け、支点軸（１４）に粘着テープ（２２）を支えるコマ（１５）を設ける。支え（１３）の上部とコマ（１５）は、架台（１）の上部に設けられた支え（１６）、同じく支え（１７）の間を通り抜けて架台（１）の上に出ている。コマ（１１）が吊下っている同じ支点軸（１０）にアールのついた長方形の板（１８）を設ける。コマ（７）に支点軸（１９）を設け、板（１８）の上端を支点軸（１９）につなぐ形で取り付ける。支え（１６）にはフイゴ（２０）とフイゴのノズル（２１）を設ける。
本発明は、以上のような構成よりなるテープカッターである。
【発明の効果】
【０００６】  普段は、最も普及している普通のテープカッターとしてまったく同じ使い方で使用できる。折り返しを作るときは、指一本でコマ（５）をリール（３）の方向に押すだけなので、粘着テープを取る自然な動作で折り返しができて、そのまま折り返しの部分を掴むことができる。掴んだ折り返しを引いて、刃（８）で切断するだけでコマ（５）が元の位置に戻り、粘着テープは支え（９）に保持され最初の普通のテープカッターの状態になる。特に動力は必要とせず、シンプルな構造なので製造コストが小さい。
【図面の簡単な説明】
【０００７】
【図１】  本発明の斜視図である。
【図２】  本発明の主要部分の側面図である。
【図３】  本発明の主要部分、粘着テープを折り返した時の側面図である。
【発明を実施するための形態】
【０００８】  以下、本発明を実施するための形態について説明する。
架台（１）の一端に支点軸（２）を設け、支点軸（２）を中心に回転する粘着テープ（２２）を支えるリール（３）を設ける。同じく架台（１）のリール（３）の反対側下方に支点軸（４）を設け、支点軸（４）を中心として半回転する一部が欠けた逆三角形状のコマ（５）を設ける。コマ（５）の上部には、支点軸（６）を設け、支点軸（６）を中心に半回転するコマ（７）を設ける。コマ（７）の上部には粘着テープ（２２）を切断するための刃（８）と切断後の粘着テープ（２２）を保持する支え（９）を設ける。架台（１）に設けられているリール（３）とコマ（５）の中間に支点軸（１０）を設ける。支点軸（１０）に、吊り下げる形で扇形のコマ（１１）を設ける。コマ（１１）の下方には支点軸（１２）を設け、支点軸（１２）にはアールのついた細長い板状の支え（１３）を設ける。支え（１３）の上部には支点軸（１４）を設け、支点軸（１４）に粘着テープ（２２）を支えるコマ（１５）を設ける。支え（１３）の上部とコマ（１５）は、架台（１）の上部に設けられた支え（１６）、同じく支え（１７）の間を通り抜けて架台（１）の上に出ている。コマ（１１）が吊下っている同じ支点軸（１０）にアールのついた長方形の板（１８）を設ける。コマ（７）に支点軸（１９）を設け、板（１８）の上端を支点軸（１９）につなぐ形で取り付ける。支え（１６）にはフイゴ（２０）とフイゴのノズルを設ける。
本発明は以上のような構造である。
これを使用するときは、普段は図２のように、コマ（５）が倒された状態で普通のテープカッターと同じ形で使用する。
粘着テープの端を折り返したいときは、片手の人差し指でコマ（５）の上部を押してコマ（５）を起こす。図３のように、コマ（５）が起こされたことでリール（３）と刃（８）の距離が縮まり粘着テープ（２２）がたるむが、コマ（５）が押されたことでコマ（１１）が回転し支え（１３）を押し上げる。支え（１３）は、支え（１６）と支え（１７）の間から立ち上がることで、たるんだ粘着テープをコマ（１５）が保持する。と同時に、コマ（１５）の下にはコマ（５）の上部が起き上がってくる。コマ（５）の上部に設けられているコマ（７）は、コマ（５）が起き上がることで、板（１８）が起き上がり、支点軸（１９）を押し上げる。支点軸（１９）が押し上がったことで、コマ（７）が回転して刃（８）および支え（９）がコマ（５）を押してきた人差し指の上に回ってくる。支え（１６）に設けられたフイゴ（２０）は、上がってきたコマ（１１）に下方から押され、フイゴのノズル（２１）からコマ（７）の方向に空気を噴出し人差し指の上に粘着テープの粘着面を内側にしたループを作る。このループの部分をそのまま人差し指と親指で掴むことで折り返しができ、そのまま粘着テープを引っ張るとコマ（５）が元の位置に戻ると同時に、それぞれ支え（１３）、コマ（１５）、コマ（７）なども最初の位置にもどり図２のような最初の状態に戻る。
【符号の説明】
【０００９】１    架台
２    支点軸
３    粘着テープを支えるリール
４    支点軸
５    コマ
６    支点軸
７    コマ
８    刃
９    支え
１０  支点軸
１１  コマ
１２  支点軸
１３  支え
１４  支点軸
１５  コマ
１６  支え
１７  支え
１８  板
１９  支点軸
２０  フイゴ
２１  フイゴのノズル
２２  粘着テープ
【図１】
2012082070.tif 000003
【図２】
2012082070.tif 000004
【図３】
2012082070.tif 000005